(57)【要約】【課題】  映像・音声送出機器に収録された映像・音声データの異常個所付近のみを自動で連続再生させることを可能とし、業務の労力とコストを削減する。【解決手段】  収録された映像・音声素材を再生、送出するシステムにおいて、再生する映像・音声の素材コード、再生長等の情報を映像・音声データの異常検出装置に通知すると共に、映像・音声送出機器を再生制御し、再生された各映像・音声データを、映像・音声データの異常検出装置に出力し、映像・音声データの異常検出装置にて、映像・音声送出機器からそれぞれ出力される映像・音声データの異常を検出し、映像・音声送出機器の映像・音声出力に異常が検出されたとき、当該映像・音声データの異常検出情報をデータベースに書き込み、書き込まれた異常検出情報に基づき、映像・音声送出機器に収録された映像・音声データの異常検出箇所付近の映像・音声のみを再生プレビューする。【選択図】  図１
2006332839.tif 000002
【特許請求の範囲】
【請求項１】
映像・音声素材を映像・音声送出機器に収録し、収録された映像・音声素材を再生、送出するシステムにおいて、
収録・再生制御機器により、再生する映像・音声の素材コード、再生長等の情報を映像・音声データの異常検出装置に通知すると共に、上記映像・音声送出機器を再生制御し、再生された各映像・音声データを、上記映像・音声データの異常検出装置に出力するステップと、
上記映像・音声データの異常検出装置において、上記映像・音声送出機器からそれぞれ出力される映像・音声データの異常を検出するステップと、
上記映像・音声送出機器の映像・音声出力に異常が検出されたとき、当該映像・音声データの異常検出情報をデータベースに書き込むステップとを有することを特徴とする映像・音声収録・再生方法。
【請求項２】
請求項１において、上記データベースに書き込まれた異常検出情報に基づき、上記映像・音声送出機器に収録された映像・音声データの異常検出箇所付近の映像・音声のみを再生プレビューするステップを有することを特徴とする映像・音声収録・再生方法。
【請求項３】
請求項１または２において、上記異常検出情報は、異常を検出した素材コード、当該素材の再生長、各異常の発生時刻に対応する情報であることを特徴とする映像・音声収録・再生方法。
【発明の詳細な説明】
【技術分野】
【０００１】
本発明は、ビデオサーバなどの映像・音声送出機器を用いた番組放送システムにおける、番組収録・再生方法に関するものである。
【背景技術】
【０００２】
放送局などでは、映像・音声信号を収録・再生するためのビデオサーバ等の映像・音声送出機器に収録された映像・音声素材の評価及び確認は、映像・音声送出機器へ収録した映像・音声素材を、収録後に素材全編または異常検出された箇所を探し出して再生させ、モニタ上に表示される映像・音声を目視することによって行われていた。
【特許文献１】特開平１１−１８５４５１号公報
【発明の開示】
【発明が解決しようとする課題】
【０００３】
そのため、映像・音声送出機器に収録された映像・音声を評価・確認するには、多大な時間と労力を要していた。
本発明の目的は、映像・音声送出機器に収録された映像・音声データの異常個所付近のみを自動で連続再生させることを可能とし、業務の労力とコストを削減することにある。
【課題を解決するための手段】
【０００４】
本発明は、上記の目的を達成するために、映像・音声素材を映像・音声送出機器に収録し、収録された映像・音声素材を再生、送出するシステムにおいて、収録・再生制御機器により、再生する映像・音声の素材コード、再生長等の情報を映像・音声データの異常検出装置に通知すると共に、上記映像・音声送出機器を再生制御し、再生された各映像・音声データを、上記映像・音声データの異常検出装置に出力するステップと、上記映像・音声データの異常検出装置において、上記映像・音声送出機器からそれぞれ出力される映像・音声データの異常を検出するステップと、上記映像・音声送出機器の映像・音声出力に異常が検出されたとき、当該映像・音声データの異常検出情報をデータベースに書き込むステップとを有する映像・音声収録・再生方法である。
また、上記データベースに書き込まれた異常検出情報に基づき、上記映像・音声送出機器に収録された映像・音声データの異常検出箇所付近の映像・音声のみを再生プレビューするステップを有することを特徴とする映像・音声収録・再生方法である。
また、上記異常検出情報は、異常を検出した素材コード、当該素材の再生長、各異常の発生時刻に対応する情報である。
【発明の効果】
【０００５】
本発明により、映像・音声送出機器に収録された映像・音声データの異常個所のみを自動的に連続再生することを可能とし、業務の労力とコストを削減することができる。
【発明を実施するための最良の形態】
【０００６】
以下、本発明の一実施例を図１、図２、図３、図４、図５を用いて説明する。図１は、本システムの構成を示した図である。図２は、映像・音声データ異常の検出と検出した異常情報収集の制御フローを示した図である。図３は検出した異常情報の流れと、収集した異常データリストの例を示した図である。図４は映像・音声の異常検出方法の一例を示すフローチャート、図５は収集した異常データリストに基づいた、映像・音声素材の異常データ付近のプレビュー再生方法を示した図である。
【０００７】
最初に、図１を用いて本システムの構成を説明する。図中、１００及び１０１は二重化されたビデオサーバ等の映像・音声送出機器である。１０２は収録・再生制御機器であり、映像・音声送出機器(１００及び１０１)とは制御線で接続されている。
映像・音声送出機器(１００及び１０１)は、収録・再生制御機器１０２からの制御により入力映像・音声を収録し、デジタルデータとして蓄積することができる。蓄積した映像・音声データは、任意のコード(以下、素材コードと称す)をつけて管理する。
また、映像・音声送出機器(１００及び１０１)は、収録・再生制御機器１０２からの制御により、映像・音声送出機器(１００及び１０１)に蓄積された映像・音声のデジタルデータを再生することができる。
【０００８】
１０４は映像・音声データの異常検出装置であり、映像・音声送出機器１００及び１０１からそれぞれ出力された映像・音声の異常を検出することができる。映像・音声データの異常検出装置１０４は、収録・再生制御機器１０２と制御線で接続されており、収録・再生制御機器１０２の制御により、映像・音声送出機器(１００及び１０１)から再生される映像・音声の素材情報(素材のコード、再生長など)が、映像・音声データの異常検出装置１０４に通知される。また、収録・再生制御機器１０２の制御による映像・音声送出機器(１００及び１０１)の再生開始のタイミングが、映像・音声データの異常検出装置１０４に通知される。
【０００９】
１０５は同期信号発生器であり、映像・音声送出機器(１００及び１０１)、及び映像・音声データの異常検出装置１０４はフレーム同期している。このため、映像・音声送出機器１００及び１０１に入力されるそれぞれの映像・音声は同期している。また、映像・音声送出機器１００及び１０１から出力されるそれぞれの映像・音声も同期している。
また、１０６はデータベースであり、収録・再生制御装置１０２および映像・音声データの異常検出装置１０４とローカルネットワーク(ＬＡＮ)で接続されている。映像・音声データの異常検出装置１０４は、映像・音声送出機器(１００及び１０１)から再生された映像・音声データに異常を検出した場合、ＬＡＮによりデータベース１０６に情報を書き込むことができる。
【００１０】
次に、図２、図３を用いて映像・音声異常の検出、異常情報収集の制御、データの流れを説明する。  最初に、収録・再生制御機器１０２から映像・音声送出機器(１００及び１０１)に収録制御を行う。これにより、映像・音声送出機器(１００及び１０１)は、入力される映像・音声データの蓄積を開始し、また収録・再生制御機器１０２から映像・音声データの異常検出装置１０４に対して、再生する映像・音声の素材コード、再生長などの素材情報を通知する(ステップ２０１)。
ある程度の映像・音声データが映像・音声送出機器(１００及び１０１)に蓄積されたところで、収録・再生制御機器１０２は映像・音声送出機器(１００及び１０１)に対し、蓄積した映像・音声の再生制御を行い、これにより映像・音声送出機器(１００及び１０１)は映像・音声データを映像・音声データの異常検出装置１０４に対して出力する(ステップ２０２)。
【００１１】
ステップ２０２と同時に、映像・音声データの異常検出装置１０４は、映像・音声送出機器(１００及び１０１)から出力される映像・音声データの異常検出を開始する(ステップ２０３)。
映像・音声データの異常検出装置１０４は、ステップ２０２〜２０６の期間に、映像・音声送出機器(１００及び１０１)の映像・音声の異常検出を行ない、映像・音声送出機器(１００及び１０１)の映像・音声出力の異常を検出する。ここで、映像・音声データの異常検出装置１０４は、ステップ２０２で収録・再生制御機器１０２からの再生開始通知を受信すると、時刻カウントを開始することで(ステップ２０８)、映像・音声送出機器(１００及び１０１)の映像・音声出力の異常を検出した場合(ステップ２０４)、その時の時刻カウント値及び通知されている素材の再生長等の素材情報から、おおよその異常検出箇所を知ることができる(ステップ２０９)。
【００１２】
そして、映像・音声データの異常検出装置１０４では、映像・音声データの異常を検出する毎に、異常データ３０３(図３)をデータベース１０６に書き込む(ステップ２０５，３０１)。ここで、異常データ３０３は、図３に一例を示すように、異常を検出した素材コード、この素材の再生長、異常数、各異常の発生時刻、等をリスト化し、データベース１０６に書き込まれる。これにより、素材毎に異常個所を記したデータを収集することができる。
映像・音声送出機器(１００及び１０１)へ収録した素材を再生長分再生した後、収録制御機器１０２は映像・音声送出機器(１００及び１０１)に対し再生を終了させ(ステップ２０６)、また、映像・音声データの異常検出装置１０４も異常検出を終了させる(ステップ２０７)。
【００１３】
ここで、図４を用いて映像・音声データの異常検出装置１０４で行う映像・音声の異常検出方法の一例について説明する。映像・音声送出機器(１００及び１０１)から出力される映像・音声デジタルデータは、１秒間に３０フレームの画像・及び音声で構成され、更に１フレームは、２フィールドの画像と音声データで構成されているものとする。
映像・音声データの異常検出装置１０４は、映像・音声送出機器１００および１０１からそれぞれ出力される映像・音声データを一定期間バッファリングし、各フレームのフィールド１の画像及び音声データについて、蓄積されたそれぞれのバッファリングデータ内に同データが存在するか否かを検査する。
そして同一データが存在しない場合は、一方の映像・音声送出機器(１００又は１０１)にのみ存在する映像・音声データであると判断することで、映像・音声送出機器１００と１０１に蓄積されたそれぞれの映像・音声の異常を検出することができる。
なお、上記実施例は、二重化されたビデオサーバ等の映像・音声送出機器を例としたシステムで説明したが、本発明はこれに限定されるものではなく、単一の映像・音声送出機器の場合、例えば、出力される映像・音声データの所定のフィールドの画像及び音声データについて、前後のフィールドの画像及び音声データと比較することで、映像・音声送出機器の映像・音声の異常を検出することができる。
【００１４】
最後に、図５を用いて、映像・音声データの異常検出装置１０４により、データベース１０６に収集された異常データを基にした、異常付近のみのプレビュー方法を説明する。
映像・音声データの異常検出装置１０４によりデータベース１０６に収集された異常情報データ３０３には、前述のように、異常が発生した時刻データが記されている。
収録・再生制御機器１０２は、この異常情報データ３０３を参照することにより、映像・音声送出機器(１００及び１０１)に収録された映像・音声素材データの異常個所を取得することが可能となる(ステップ３０２)。
そこで、収録・再生制御機器１０２は、映像・音声送出機器(１００及び１０１)を制御し、異常情報データ３０３に記されているそれぞれの時刻データ前後Ｔ秒を連続的に再生することにより、映像・音声送出機器(１００及び１０１)に収録された素材データの内、異常個所付近のみを連続再生することができる。
【図面の簡単な説明】
【００１５】
【図１】本発明のシステム構成の一実施例を示すブロック図
【図２】本発明の映像・音声の異常を検出するための制御方法を示すフローチャート
【図３】本発明の映像・音声の異常情報の流れと、収集した異常データリスト例を示す模式図
【図４】本発明の映像・音声の異常検出方法の一例を示すフローチャート
【図５】本発明の映像・音声素材の異常データ付近のプレビュー再生方法を示す模式図
【符号の説明】
【００１６】
１００，１０１：映像・音声送出機器、１０２：収録・再生制御機器、１０４：映像・音声データの異常検出装置、１０５：同期信号発生器、１０６：データベース。
【図１】
2006332839.tif 000003
【図２】
2006332839.tif 000004
【図３】
2006332839.tif 000005
【図４】
2006332839.tif 000006
【図５】
2006332839.tif 000007